(57)【要約】【課題】鉛直遮水壁の破損位置の検出を行えるようにするための鉛直遮水壁の破損検知システムを提供する。【解決手段】このシステムは、廃棄物処分場を取り囲む鉛直遮水壁Ｓの外部に配された複数の外部検知電極１０と、その内部配された複数の内部検知電極２０と、給電用電極３０とを備えている。外部検知電極１０、内部検知電極２０は、コンピュータの制御下にある切換え器により、任意の２つを選択できるようになっている。外部検知電極１０、又は内部検知電極２０は、電位の測定を行い、その値に基いて、コンピュータは、選択された２つの外部検知電極１０、又は内部検知電極２０を含む鉛直面内の比抵抗分布を検知する。この比抵抗分布はコンピュータのディスプレイに表示され、これに基き、ユーザは、鉛直遮水壁Ｓの破損位置の検出をリアルタイムで行えるようになる。【選択図】　図１
2004012400.tif 000002
【特許請求の範囲】
【請求項１】
鉛直方向に埋設された鉛直遮水壁で囲まれた廃棄物処分場における前記鉛直遮水壁の破損の有無、及び場所を検知する、鉛直遮水壁の破損検知システムであって、
土壌と接するようにされ、前記鉛直遮水壁の外側の所定位置に配された複数の外部検知電極と、
これら外部検知電極のうちの一つと、これ以外の他の外部検知電極とを含む鉛直平面内における比抵抗分布を検知する外部検知手段と、
を備えており、
前記外部検知手段が検知した前記比抵抗分布から、前記鉛直遮水壁の破損の有無、及び場所を検知するようになっている、鉛直遮水壁の破損検知システム。
【請求項２】
土壌と接するようにされ、前記鉛直遮水壁の内側の所定位置に配された複数の内部検知電極と、
これら内部検知電極のうちの一つと、これ以外の他の内部検知電極とを含む鉛直平面内における比抵抗分布を検知する内部検知手段と、
を備えており、
前記外部検知手段と、前記内部検知手段が検知した前記比抵抗分布から、前記鉛直遮水壁の破損の有無、及び場所を検知するようになっている、
請求項１記載の鉛直遮水壁の破損検知システム。
【請求項３】
前記外部検知手段は、任意の２つの外部検知電極を選択し、選択された２つの外部検知電極を含む鉛直面内における比抵抗分布を検知できるようになっている、
請求項１記載の鉛直遮水壁の破損検知システム。
【請求項４】
前記内部検知手段は、任意の２つの内部検知電極を選択し、選択された２つの内部検知電極を含む鉛直面内における比抵抗分布を検知できるようになっている、
請求項２記載の鉛直遮水壁の破損検知システム。
【請求項５】
給電用の給電電極が更に設けられている、
請求項１記載の鉛直遮水壁の破損検知システム。
【請求項６】
前記外部検知電極は、土壌表面付近に配されている、
請求項１記載の鉛直遮水壁の破損検知システム。
【請求項７】
前記内部検知電極は、土壌表面付近に配されている、
請求項１記載の鉛直遮水壁の破損検知システム。
【請求項８】
前記複数の外部検知電極は、前記鉛直遮水壁の近傍に沿う所定の直線上に略位置するように複数個配されている、
請求項１記載の鉛直遮水壁の破損検知システム。
【請求項９】
前記複数の内部検知電極は、前記鉛直遮水壁の近傍に沿う所定の直線上に略位置するように複数個配されている、
請求項２記載の鉛直遮水壁の破損検知システム。
【請求項１０】
前記外部検知電極の両端に位置するものは、
その２つの組み合わせによって検知される比抵抗分布の範囲の下端が、前記直線がその近傍に沿わされている前記鉛直遮水壁の下端に到達する距離よりも離して配されている、
請求項８記載の鉛直遮水壁の破損検知システム。
【請求項１１】
前記複数の外部検知電極は、前記鉛直遮水壁を囲む所定の多角形の辺上に略位置するようにして、各辺上に少なくとも３つ配置されている、
請求項１記載の鉛直遮水壁の破損検知システム。
【請求項１２】
前記複数の内部検知電極は、前記廃棄物処分場を囲む所定の多角形の辺上に略位置するようにして、各辺上に少なくとも３つ配置されている、
請求項１記載の鉛直遮水壁の破損検知システム。
【請求項１３】
前記辺は、前記鉛直遮水壁に沿うものとされる、
請求項１１又は１２記載の鉛直遮水壁の破損検知システム。
【請求項１４】
鉛直方向に埋設された鉛直遮水壁で囲まれた廃棄物処分場における前記鉛直遮水壁の破損の有無、及び場所を、前記鉛直遮水壁の外側の所定位置に、土壌と接するようにして設けられた複数の外部検知電極を用いて検知する鉛直遮水壁の破損検知方法であって、
前記複数の外部検知電極のうち、任意の２つの検知電極を選択し、
選択した任意の２つの外部検知電極を含む鉛直面内における比抵抗分布を検知し、
前記比抵抗分布から、前記鉛直遮水壁の破損の有無、及び場所を検知する、
鉛直遮水壁の破損検知方法。
【請求項１５】
鉛直方向に埋設された鉛直遮水壁で囲まれた廃棄物処分場における前記鉛直遮水壁の破損の有無、及び場所を、前記鉛直遮水壁の外側の所定位置に、土壌と接するようにして設けられた複数の外部検知電極と、前記鉛直遮水壁の内側の所定位置に、土壌と接するようにして設けられた複数の内部検知電極とを用いて検知する鉛直遮水壁の破損検知方法であって、
前記複数の外部検知電極のうち、任意の２つの外部検知電極を選択し、選択した任意の２つの外部検知電極を含む鉛直面内における比抵抗分布を検知するとともに、前記複数の内部検知電極のうち、任意の２つの内部検知電極を選択し、選択した任意の２つの内部検知電極を含む鉛直面内における比抵抗分布を検知し、前記２つの比抵抗分布から、前記鉛直遮水壁の破損の有無、及び場所を検知する、
鉛直遮水壁の破損検知方法。
【発明の詳細な説明】
【０００１】
【発明の属する技術分野】
本発明は、鉛直方向に埋設された鉛直遮水壁で囲まれた廃棄物処分場における前記鉛直遮水壁の破損の有無、及び場所を検知するために用いられる技術に関する。
【０００２】
【従来の技術】
廃棄物処分場では、外部への汚水の流出を防止する必要性があることから、廃棄物処分場の凹面に対して遮水シートを配するのが一般的になっている。しかしながら、汚水の流出についての課題がそれほど強く認識されていなかった時代に作られた廃棄物処分場は、上述の如き遮水シートを有していない。
このような廃棄物処分場では、汚水の流出の防止を図るために、鉛直遮水壁を設けることがよく行われている。
【０００３】
鉛直遮水壁は、廃棄物処分場を囲むようにして、鉛直方向に埋設される壁である。これは、例えば、樹脂性のシートにより鉛直遮水シートとして形成されたり、鋼矢板壁、ソイルセメント固化壁、地中連続壁、グラウト壁として形成される。
いずれにせよ、鉛直遮水壁は、壁を形成する材料を、その下端が、例えば粘土層などの不透水層に達するようにして埋設等することで、鉛直遮水壁と不透水層で廃棄物処分場を取り囲み、汚水の流出を防いでいる。
【０００４】
このような鉛直遮水壁が配された廃棄物処分場においては、鉛直遮水壁の破損は許されず、もしそれが生じてしまった場合には、破損の発生を素早く検知して、一刻も早くその修繕を行う必要がある。
【０００５】
このような観点から、鉛直遮水壁が配された廃棄物処分場においては、鉛直遮水壁の破損を検知するためのシステムが必要であるが、それを意図した技術は存在しない。
【０００６】
【発明が解決しようとする課題】
本発明は、鉛直遮水壁の破損位置の検出を行えるようにする、鉛直遮水壁の破損検知技術の提供を、その課題とする。
【０００７】
【課題を解決するための手段】
かかる課題を解決するために提案される発明は、以下のようなものである。
本発明は、鉛直方向に埋設された鉛直遮水壁で囲まれた廃棄物処分場における前記鉛直遮水壁の破損の有無、及び場所を検知する、鉛直遮水壁の破損検知システムである。
そして、この破損検知システムは、土壌と接するようにされ、前記鉛直遮水壁の外側の所定位置に配された複数の外部検知電極と、これら外部検知電極のうちの一つと、これ以外の他の外部検知電極とを含む鉛直平面内における比抵抗分布を検知する外部検知手段と、を備えており、前記外部検知手段が検知した前記比抵抗分布から、前記鉛直遮水壁の破損の有無、及び場所を検知するようになっている。
本発明は、上述の如き比抵抗分布の検出を用いることで土壌内部の鉛直平面内の状態を検知し、これに基いて鉛直遮水壁の破損の有無を検知するようにしたものである。比抵抗分布を用いれば、鉛直遮水壁破損の位置を検知することが可能になる。また、これのみならず、常時の監視を行うことで、リアルタイムでの鉛直遮水壁破損の検知を実現できるようにもなる。
【０００８】
本発明の鉛直遮水壁の破損検知システムは、上述の如き外部検知電極、及び外部検知手段を備える。また、これに加えて、土壌と接するようにされ、前記鉛直遮水壁の内側の所定位置に配された複数の内部検知電極と、これら内部検知電極のうちの一つと、これ以外の他の内部検知電極とを含む鉛直平面内における比抵抗分布を検知する内部検知手段と、を備えていてもよい。この場合には、前記外部検知手段と、前記内部検知手段が検知した前記比抵抗分布から、前記鉛直遮水壁の破損の有無、及び場所を検知することができるようになる。
このように、鉛直遮水壁の内外の比抵抗分布を用いるようにすることで、鉛直遮水壁の破損の有無、及び場所をより正確に検知できるようになる。
【０００９】
外部検知手段は、上述したように、２つの外部検知電極を含む鉛直面内における比抵抗分布を検知できるように構成されている。
比抵抗分布が測定される鉛直面を決定する２つの外部検知電極の組み合わせは固定であっても構わないが、本発明の外部検知手段は、任意の２つの外部検知電極を選択し、選択された２つの外部検知電極を含む鉛直面内における比抵抗分布を検知できるようになっていてもよい。このようにすれば、外部検知電極の数のコンビネーションの数に相当する比抵抗分布を測定できるようになるため、鉛直遮水壁の破損の有無、及び場所をより正確に検知できるようになる。
外部検知手段は、上述したように、２つの外部検知電極を含む鉛直面内における比抵抗分布を検知できるように構成されている。
この事情は、内部検知電極、及び内部検知手段でも同様である。
つまり、比抵抗分布が測定される鉛直面を決定する２つの内部検知電極の組み合わせは固定であっても構わないが、本発明の内部検知手段は、任意の２つの内部検知電極を選択し、選択された２つの内部検知電極を含む鉛直面内における比抵抗分布を検知できるようになっていてもよい。
【００１０】
外部検知電極、及び内部検知電極は、上述したように、土壌に接する（内部検知電極であれば、廃棄物処分場内の廃棄物に接する場合も含む）ようにして配される。外部検知電極、内部検知電極は、土壌表面付近に配されていてもよいし、土壌に掘られた縦穴の内部に配されていても良い。
外部検知電極、内部検知電極を用いて検知される比抵抗分布は、両検知電極よりも下方の部分についてのものとなるので、外部検知電極、内部検知電極の上部に比抵抗分布の検知が行われない部分が生じないようにするのであれば、前者の配置が好ましい。
【００１１】
前記複数の外部検知電極は、鉛直遮水壁の外側に配される。その配置には特に制限はないが、前記鉛直遮水壁の近傍に沿う所定の直線上に略位置するように複数個配されているものとすることができる。このように外部検知電極を配せば、一鉛直面内の状態を検知するために、様々な外部検知電極の組合せによる複数種類の比抵抗分布を用いることができるようになる。これにより、鉛直遮水壁の破損の有無、及び場所をより正確に検知できるようになる。
外部検知電極を直線上に略位置するように配置する場合、それらのうち両端に位置するものは、その２つの組み合わせによって検知される比抵抗分布の範囲の下端が、前記直線がその近傍に沿わされている前記鉛直遮水壁の下端に到達する距離よりも離して配することができる。一般に、２つ外部検知電極の距離が離れているほど、それにより検知可能な比抵抗分布の下端は、土壌中の深い部分に到達することになる。上述のような外部検知電極の配置を行うことで、鉛直遮水壁の下端で生じた破損をも検知できるようになる。
外部検知電極は、前記鉛直遮水壁を囲む所定の多角形の辺上に略位置するようにして、各辺上に少なくとも３つ配置することができる。鉛直遮水壁の全体を、上述の直線で囲むことで、鉛直遮水壁全体について、複数種類の比抵抗分布を用いることができるようになるので、鉛直遮水壁の全体で、その破損の有無、及び場所の検知の正確性を向上させられるようになる。
この事情は、内部検知電極の場合も同様である。
つまり、内部検知電極の配置には特に制限はないが、内部検知電極を、鉛直遮水壁の近傍に沿う所定の直線上に略位置するように複数個配したり、それらのうち両端に位置するものを、その２つの組み合わせによって検知される比抵抗分布の範囲の下端が前記直線がその近傍に沿わされている前記鉛直遮水壁の下端に到達する距離よりも離して配したり、鉛直遮水壁の内側の所定の多角形（例えば、廃棄物処分場を囲む所定の多角形）の辺上に略位置するようにして、各辺上に少なくとも３つ配置したり、することができる。
【００１２】
本発明における鉛直遮水壁の破損検知システムは、給電用の給電電極を含むものとなっていてもよい。これが存在する方が、検知電極を用いて検知される比抵抗分布が安定したものとなる。給電電極の配置場所は、外部検知電極、内部検知電極の配置場所等に応じて適宜選択すればよい。
【００１３】
本発明は、以下の方法をも提案する。
その方法は、鉛直方向に埋設された鉛直遮水壁で囲まれた廃棄物処分場における前記鉛直遮水壁の破損の有無、及び場所を、前記鉛直遮水壁の外側の所定位置に、土壌と接するようにして設けられた複数の外部検知電極を用いて検知する鉛直遮水壁の破損検知方法である。そして、前記複数の外部検知電極のうち、任意の２つの外部検知電極を選択し、選択した任意の２つの外部検知電極を含む鉛直面内における比抵抗分布を検知し、前記比抵抗分布から、前記鉛直遮水壁の破損の有無、及び場所を検知する。
或いは、鉛直方向に埋設された鉛直遮水壁で囲まれた廃棄物処分場における前記鉛直遮水壁の破損の有無、及び場所を、前記鉛直遮水壁の外側の所定位置に、土壌と接するようにして設けられた複数の外部検知電極と、前記鉛直遮水壁の内側の所定位置に、土壌と接するようにして設けられた複数の内部検知電極とを用いて検知する鉛直遮水壁の破損検知方法である。そして、前記複数の外部検知電極のうち、任意の２つの外部検知電極を選択し、選択した任意の２つの外部検知電極を含む鉛直面内における比抵抗分布を検知するとともに、前記複数の内部検知電極のうち、任意の２つの内部検知電極を選択し、選択した任意の２つの内部検知電極を含む鉛直面内における比抵抗分布を検知し、前記２つの比抵抗分布から、前記鉛直遮水壁の破損の有無、及び場所を検知する。
これら方法によっても、鉛直遮水壁の破損位置の検出を行えるようになる。
【００１４】
【発明の実施の形態】
以下、本発明の好ましい実施形態の一例について説明する。
この実施形態における鉛直遮水壁の破損検知システムは、図１に示したような廃棄物処分場にて用いられる。
【００１５】
この廃棄物処分場は、廃棄物Ｇを埋設する凹部Ｈを備えている。凹部Ｈは、この実施形態では、鉛直方向に埋設され、且つ端部を連結された遮水シートにより構成された鉛直遮水壁Ｓにより取り囲まれている。この鉛直遮水壁Ｓは、その下端が、土壌中の粘土層Ｎに到達するようになっている。この粘土層Ｎは不透水層であり、鉛直遮水壁Ｓと粘土層Ｎで囲まれた空間から外部に、廃棄物Ｇから染み出る汚水が漏れ出さないようになっている。
【００１６】
この廃棄物処分場に設けられる鉛直遮水壁の破損検知システムは、図１、図２に示したように、廃棄物処分場の鉛直遮水壁Ｓの内外に適宜配された複数の外部検知電極１０と、鉛直遮水壁Ｓの内側に配された複数の内部検知電極２０、及び給電用の給電電極３０とを含んで構成されている。
外部検知電極１０、内部検知電極２０はともに、その形状につき特に制限はないが、この実施形態では、円柱状とされている。
外部検知電極１０、内部検知電極２０はともに、土壌に接するように配置されている。この実施形態では、外部検知電極１０、内部検知電極２０はともに、円柱状の形状の一端部分の所定の長さを埋設することで、土壌との接触が図られている。内部検知電極２０は、凹部Ｈと鉛直遮水壁Ｓとの間に配されている。
【００１７】
外部検知電極１０、内部検知電極２０は、鉛直遮水壁Ｓに沿う辺を有する多角形の辺上に、３個以上配されている。図２では、外部検知電極１０がその上に乗る辺を有する多角形をＬｏで、内部検知電極２０がその上に乗る辺を有する多角形をＬｉで、それぞれ示した。多角形Ｌｏ、Ｌｉの辺は、鉛直遮水壁Ｓの近傍を通るようにされている。
【００１８】
給電電極３０は、廃棄物Ｇ中に埋設されている。供給電極３０は、廃棄物Ｇに掘った縦穴内に配置するようにしてもよい。
【００１９】
検知電極２０は、接続線により、図３に示した切換え器４０を介してコンピュータ５０と接続されている。切換え器４０及びコンピュータ５０は、本発明における外部検知手段、内部検知手段の機能を併せ持つ。
【００２０】
切換え器４０は、外部検知電極１０の中の任意の２つ、或いは内部検知電極２０の中の任意の２つを選択するものであり、コンピュータ５０により制御されるようになっている。この実施形態では、例えばユーザによりなされた選択により、電位を測定する２つの外部検知電極１０、或いは２つの内部検知電極２０を選択するようになっている。この実施形態では、外部検知電極１０が選択された場合には、当該２つの外部検知電極１０を含む鉛直面内の比抵抗分布が、内部検知電極２０が選択された場合には、当該２つの内部検知電極２０を含む鉛直面内の比抵抗分布が、それぞれ検出されるようになっている。
【００２１】
コンピュータ５０は、キーボード、マウス等により構成される入力装置５１と、ディスプレイ５２とを備えている。
入力装置５１は、外部検知電極１０、内部検知電極２０の中からいずれの２つを選択するのか決定するための情報を少なくとも入力できるようになっている。入力装置５１から入力された上記情報に基き、コンピュータ５０は、比抵抗分布が検知される鉛直面を決定するための２つの外部検知電極１０、或いは内部検知電極２０を選択させるための情報を、上述の切換え器４０へ送るようになっている。
コンピュータ５０は、また、切換え器４０を介して受け付けた、先に選択された２つの外部検知電極１０、又は内部検知電極２０で測定した電位の情報に基いて、その２つの外部検知電極１０、又は内部検知電極２０が含まれる鉛直面内の比抵抗分布を検知するようになっている。
ディスプレイ５２は、コンピュータ５０の制御下で、所定の画像を映し出すものである。この実施形態では、少なくとも、上記比抵抗分布を図表化したものを、映し出すようになっている。
【００２２】
給電電極３０は、図示せぬ電源と接続されており、所定の電流を土壌に流すようになっている。供給電極３０を、上述のコンピュータの制御下におき、入力装置５１を用いてユーザが行った入力にしたがって、給電の有無を制御するようにすることもできる。給電電極３０は、１つでもよく、正負の２つ、或いはそれ以上あってもよい。
【００２３】
この鉛直遮水壁の破損検知システムは、以下のように用いる。
まず、ユーザが、比抵抗分布が検知される鉛直面を決定するための２つの外部検知電極１０、又は内部検知電極２０を選択させるための情報を、入力装置５１を介してコンピュータ５０へ入力する。
コンピュータ５０は、この情報に基いて、上述の切換え器４０へ、選択されたその２つの外部検知電極１０、又は内部検知電極２０を選択させるための情報を送る。
切換え器４０は、この情報に基いて、２つの外部検知電極１０、内部検知電極２０を、電位を検知させるべき電極として選択する。
２つの外部検知電極１０、又は内部検知電極２０では、それらが含まれる鉛直面内の比抵抗分布を求めるに必要な電位が検知される。（尚、この実施形態においては、少なくとも外部検知電極１０、又は内部検知電極２０で電位が検知されるときには、給電電極３０による給電が行われるようにする。）
検知されたこの電位についての情報は、切換え器４０を介してコンピュータ５０へと送られる。
この情報に基いて、コンピュータ５０は、選択された２つの外部検知電極１０、又は内部検知電極２０を含む鉛直面内の比抵抗分布を求め、これに基いて生成された画像をディスプレイ５２に表示する。廃棄物Ｇから流出する汚水には、イオンが多く含まれているので、比抵抗分布を検知することでイオンの分布を検知することにより、汚水流出の度合いを推定することができる。
ディスプレイ５２に示された画像に基いて、ユーザは、鉛直遮水壁の破損部分をリアルタイムで知ることができる。
【００２４】
内部検知電極２０の場合も同様なのであるが、２つの外部検知電極１０において求めることのできる比抵抗分布の範囲を、図４に示す。
図４には、４つの外部検知電極１０Ａ〜１０Ｄが示されている。
これら外部検知電極１０のうち、２つを選択して求めることのできる比抵抗分布の範囲は、選択された外部検知電極１０を頂点とする、３つの内角が４５°、４５°、９０°である直角２等辺三角形の範囲と略等しくなる。つまり、図４で言えば、外部検知電極１０Ａ、１０Ｂを選択した場合に求めることのできる比抵抗分布の範囲は、両外部検知電極１０Ａ、１０Ｂと、頂点ＡＢとを結んだ三角形（３つの内角が４５°、４５°、９０°である直角２等辺三角形）の範囲に略等しくなり、外部検知電極１０Ｂ、１０Ｃを選択した場合に求めることのできる比抵抗分布の範囲は、両外部検知電極１０Ｂ、１０Ｃと、頂点ＢＣとを結んだ直角２等辺三角形の範囲に略等しくなり、外部検知電極１０Ｂ、１０Ｄを選択した場合に求めることのできる比抵抗分布の範囲は、両外部検知電極１０Ｂ、１０Ｄと、頂点ＢＤとを結んだ直角２等辺三角形の範囲に略等しくなり、外部検知電極１０Ａ、１０Ｄを選択した場合に求めることのできる比抵抗分布の範囲は、両外部検知電極１０Ａ、１０Ｄと、頂点ＡＤとを結んだ直角２等辺三角形の範囲に略等しくなる。
このように、選択する２つの外部検知電極１０、内部検知電極２０を適宜変更することで、検知する比抵抗分布の範囲と深さを切換え、鉛直遮水壁の破損部分を、その位置も含めて検知する。
【００２５】
上述した鉛直遮水壁の破損検知システムの変形例を、図５に示す。
この鉛直遮水壁の破損検知システムは、上述の鉛直遮水壁の破損検知システムと略同一に構成されている。異なるのは、以下の点である。
この鉛直遮水壁の破損検知システムにおける外部検知電極１０は、上述の場合と同様に、鉛直遮水壁Ｓに沿う辺を有する多角形Ｌｏの辺上に、各辺の上にそれぞれ３個以上乗るようにして配されている。
この場合、例えば、多角形Ｌｏの辺のうち、外部検知電極が３つしか配置できない短い辺では、最も深い範囲まで比抵抗分布の検知が可能な両端の外部検知電極１０を用いたとしても、鉛直遮水壁Ｓの下端部における比抵抗分布を検地できない可能性がある。このような場合を考慮して、この変形例における鉛直遮水壁の破損検知システムでは、その辺を延長した線上に配置されるようにして、補助的な外部検知電極１０Ｘを、追加的に配することとしている。この場合、追加的な外部検知電極１０Ｘは、その両端その２つの組み合わせによって検知される比抵抗分布の範囲の下端が、その近傍にある鉛直遮水壁Ｓの下端に到達する距離よりも離して配する。図４の例を用いて説明すると、補助的な外部検知電極１０Ｘの一方が、外部検知電極Ａ、他方が外部検知電極Ｂである場合に、頂点ＡＢの深さが、鉛直遮水壁Ｓの下端の深さよりも深くなるようにするのである。
これにより、鉛直遮水壁Ｓのどこで破損が生じたとしても、それを検知できるようになる。
【００２６】
【発明の効果】
本発明は、以上のようなものなので、鉛直遮水壁の破損位置の検出を行えるようになる。
【図面の簡単な説明】
【図１】本発明の一実施形態における鉛直遮水壁の破損検知システムの構成を示す側断面図。
【図２】図１で示した鉛直遮水壁の破損検知システムの構成を示す平面図。
【図３】図１で示した検知電極と接続される機器を概略的に示す図。
【図４】外部検知電極により検知される比抵抗分布の範囲を概略的に示す図。
【図５】図１で示した鉛直遮水壁の破損検知システムの変形例の構成を示す平面図。
【符号の説明】
Ｓ　鉛直遮水壁
Ｈ　凹部
Ｇ　廃棄物
１０　外部検知電極
２０　内部検知電極
３０　給電電極
４０　切換え器
５０　コンピュータ
【図１】
2004012400.tif 000003
【図２】
2004012400.tif 000004
【図３】
2004012400.tif 000005
【図４】
2004012400.tif 000006
【図５】
2004012400.tif 000007